(57)【要約】【課題】ユーザが筆記具を用いて入力した情報を取得可能であり、第一筐体に対する第二筐体の開閉状態を検出可能な情報入力装置を提供すること。【解決手段】ユーザが筆記具を用いて入力した情報を取得可能な、折りたたみ式の情報入力装置２であって、近接する筆記具の位置を検出可能な第一検出部及び第二検出部と、第一検出部を収容し、冊子状記録媒体１００の見開き頁の一方の頁を載置可能な第一筐体８Ｌと、第二検出部を収容し、見開き頁の他方の頁を載置可能な第二筐体８Ｒと、一端９１が第一筐体８Ｌに固定され、他端９２が第一筐体８Ｌに対する第二筐体８Ｒの開閉状態に応じて移動可能に第二筐体８Ｒに収容された移動部９と、移動部９の他端９２の第二筐体８Ｒ内の位置が所定範囲にあるか否かを検出する検出部９５とを備える。【選択図】図３
2014099112.tif 000002
【特許請求の範囲】
【請求項１】
ユーザが筆記具を用いて入力した情報を取得可能な、折りたたみ式の情報入力装置であって、
近接する前記筆記具の位置を検出可能な第一検出部及び第二検出部と、
前記第一検出部を収容し、冊子状の記録媒体の見開き頁のうちの一方の頁を載置可能な第一筐体と、
前記第二検出部を収容し、前記記録媒体の前記見開き頁のうちの他方の頁を載置可能な第二筐体と、
一端が前記第一筐体に固定され、他端が前記第一筐体に対する前記第二筐体の開閉状態に応じて移動可能に前記第二筐体に収容された移動部と、
前記移動部の前記他端の前記第二筐体内の位置が所定範囲にあるか否かを検出する検出部と
を備えたことを特徴とする情報入力装置。
【請求項２】
前記検出部が前記移動部の前記他端の前記第二筐体内の位置が前記所定範囲にあることを検出した場合に、前記情報入力装置の電源をオンにする第一スイッチ部をさらに備えることを特徴とする請求項１に記載の情報入力装置。
【請求項３】
前記一方の頁の紙面略全体が前記第一検出部と対向する位置に、前記一方の頁を位置決め可能な第一位置決め部と、
前記他方の頁の紙面略全体が前記第二検出部と対向する位置に、前記他方の頁を位置決め可能な第二位置決め部と
をさらに備えたことを特徴とする請求項１又は２に記載の情報入力装置。
【請求項４】
前記移動部は、可撓性を有する樹脂によって帯状に形成されていることを特徴とする請求項１から３のいずれかに記載の情報入力装置。
【請求項５】
前記第二筐体は、前記移動部の移動経路を規定するガイド部を備え、
前記移動部の前記他端には、前記移動部の前記他端の前記第二筐体内の位置が前記所定範囲にある場合に、前記ガイド部に案内されて移動して前記検出部に前記第二筐体の厚み方向と直交する方向において接触する接触部を備え、
前記検出部は、前記移動部の前記接触部が接触した場合に、前記移動部の前記他端の前記第二筐体内の位置が前記所定範囲にあることを検出することを特徴とする請求項１から４のいずれかに記載の情報入力装置。
【請求項６】
前記検出部が前記移動部の前記他端の前記第二筐体内の位置が前記所定範囲にないことを検出した場合に、前記情報入力装置の電源をオフにする第二スイッチ部をさらに備えたことを特徴とする請求項１から５のいずれかに記載の情報入力装置。
【発明の詳細な説明】
【技術分野】
【０００１】
本発明は、ユーザが筆記具を用いて入力した情報を取得可能な情報入力装置に関する。
【背景技術】
【０００２】
ユーザが筆記具を用いて手書きした内容に対応したデータを入力可能な装置が知られている（例えば、特許文献１参照）。特許文献１に記載の電子筆記装置は、電磁誘導方式のデジタイザであり、見開き状態に開閉可能な可塑性部材からなるシート体を有する。シート体は、互いに直交するＸ方向とＹ方向との各々に平行に配置されたループコイル群を備える。電子筆記装置は、シート体に設けられたループコイル群により筆記具の位置を検知する。シート体に重ねて配置された被筆記体にユーザが筆記具を用いて手書きすると、電子筆記装置は筆記具の移動軌跡を表すストロークデータを生成する。電子筆記装置は、ユーザが電源をオンにした場合に起動する。
【０００３】
一方、ヒンジ構造によって開閉可能に連結された２つの筐体を有する折り畳み構造を有する装置において、一方の筐体と他方の筐体との接触を利用して、装置の開閉状態を検出する開閉検出装置が知られている（例えば、特許文献２参照）。特許文献２に記載の開閉検出装置は、２つの筐体と、ヒンジ構造と、接触部と、検出電極とを備える。ヒンジ構造は、２つの筐体を回動自在に連結する。接触部は、２つの筐体のうちの一方の筐体内の基板と接触し、ヒンジ構造が回動することによって、基板と接触しながら移動する。検出電極は、接触部が接触することによって開閉状態を認識する。開閉検出装置は、検出電極が検出する接触部の位置に応じて、２つの筐体の開閉状態を認識する。
【先行技術文献】
【特許文献】
【０００４】
【特許文献１】特開２０１２−１４４１１号公報
【特許文献２】特開２００２−１３５３８６号公報
【発明の開示】
【発明が解決しようとする課題】
【０００５】
上記従来の電子筆記装置において、２つ折りされたシート体の開閉状態を把握したいという要望がある。このような要望に対し、特許文献２に記載の開閉検出装置を、特許文献１に記載の電子筆記装置に適用することが考えられる。しかしながら、特許文献１に記載の電子筆記装置において、シート体と重ねられる被筆記体は、様々な厚みのものが用いられる可能性がある。このため、特許文献１に記載の電子筆記装置において、一定範囲の厚みの被筆記体を使用可能な構成にすることを考慮すると、２つのシート体をヒンジ構造で連結することができない。即ち、特許文献２に記載の開閉検出装置を、特許文献１に記載の電子筆記装置に適用することはできない。
【０００６】
本発明は、ユーザが筆記具を用いて入力した情報を取得可能な情報入力装置において、第一筐体に対する第二筐体の開閉状態を検出可能な情報入力装置を提供することを目的とする。
【課題を解決するための手段】
【０００７】
本発明の一態様に係る情報入力装置は、ユーザが筆記具を用いて入力した情報を取得可能な、折りたたみ式の情報入力装置であって、近接する前記筆記具の位置を検出可能な第一検出部及び第二検出部と、前記第一検出部を収容し、冊子状の記録媒体の見開き頁のうちの一方の頁を載置可能な第一筐体と、前記第二検出部を収容し、前記記録媒体の前記見開き頁のうちの他方の頁を載置可能な第二筐体と、一端が前記第一筐体に固定され、他端が前記第一筐体に対する前記第二筐体の開閉状態に応じて移動可能に前記第二筐体に収容された移動部と、前記移動部の前記他端の前記第二筐体内の位置が所定範囲にあるか否かを検出する検出部とを備えている。
【０００８】
本態様の情報入力装置によれば、記録媒体の厚みが変わった場合でも、記録媒体と一体的に第一筐体と第二筐体とを移動させることができる。情報入力装置の第一筐体に対して第二筐体が開かれた場合と、閉じられた場合とで、第二筐体における移動部の他端の位置が変わる。移動部の他端の位置は、第一筐体に対する第二筐体の開閉状態に応じて変わる。したがって、情報入力装置は、検出部が検出する移動部の他端の位置に基づき、第一筐体に対する第二筐体の開閉状態を把握することができる。
【０００９】
本態様の情報入力装置において、前記検出部が前記移動部の前記他端の前記第二筐体内の位置が前記所定範囲にあることを検出した場合に、前記情報入力装置の電源をオンにする第一スイッチ部をさらに備えてもよい。記録媒体の厚みが変わった場合でも、移動部と、検出部と、第一スイッチ部という比較的簡単な構成によって、移動部の他端の第二筐体内の位置が所定範囲にある場合に、電源を自動的にオンにすることができる。
【００１０】
本態様の情報入力装置において、前記一方の頁の紙面略全体が前記第一検出部と対向する位置に、前記一方の頁を位置決め可能な第一位置決め部と、前記他方の頁の紙面略全体が前記第二検出部と対向する位置に、前記他方の頁を位置決め可能な第二位置決め部とをさらに備えてもよい。この場合の情報入力装置は、第一検出部と第二検出部とが互いに独立しており、且つ、第一検出部には一方の頁が位置決めされ、第二検出部には他方の頁が位置決めされる。したがって情報入力装置は、ユーザが記録媒体へ記入している間に、冊子状の記録媒体が情報入力装置に対して位置ずれすることを抑制できる。
【００１１】
本態様の情報入力装置において、前記移動部は、可撓性を有する樹脂によって帯状に形成されてもよい。この場合の情報入力装置は、移動部の厚みを薄くすることが可能であり、移動部の厚みを薄くすることで、移動部の厚みが厚い場合に比べ、移動部の他端を収容する第二筐体の厚みを小さくすることが可能である。
【００１２】
本態様の情報入力装置において、前記第二筐体は、前記移動部の移動経路を規定するガイド部を備え、前記移動部の前記他端には、前記移動部の前記他端の前記第二筐体内の位置が前記所定範囲にある場合に、前記ガイド部に案内されて移動して前記検出部に前記第二筐体の厚み方向と直交する方向において接触する接触部を備え、前記検出部は、前記移動部の前記接触部が接触した場合に、前記移動部の前記他端の前記第二筐体内の位置が前記所定範囲にあることを検出してもよい。この場合の情報入力装置は、検出部の厚み方向において接触する接触部を備える場合に比べ、移動部の他端を収容する第二筐体の厚みを薄くすることが可能である。
【００１３】
本態様の情報入力装置において、前記検出部が前記移動部の前記他端の前記第二筐体内の位置が前記所定範囲にないことを検出した場合に、前記情報入力装置の電源をオフにする第二スイッチ部をさらに備えてもよい。この場合の情報入力装置は、記録媒体の厚みが変わった場合でも、移動部と、検出部と、第二スイッチ部という比較的簡単な構成によって、移動部の他端の第二筐体内の位置が所定範囲にない場合に、電源を自動的にオフにすることができる。
【図面の簡単な説明】
【００１４】
【図１】筐体８Ｌ，８Ｒを開いた状態の情報入力装置２の斜視図である。
【図２】情報入力装置２の分解図である。
【図３】情報入力装置２の筐体８Ｌ，８Ｒを閉じた状態に配置した場合と、左右方向に見開き状態に配置した場合とを正面から見た図である。
【図４】移動部９の接触部９３が検出部９５のレバー９６と離間している状態を底面側から見た説明図である。
【図５】移動部９の接触部９３が検出部９５のレバー９６と当接している状態を底面側から見た説明図である。
【図６】情報入力装置２の電気的構成を示すブロック図である。
【図７】第二実施形態の情報入力装置１０２の説明図である。
【図８】第三実施形態の情報入力装置２０２の説明図である。
【図９】第四実施形態の情報入力装置２０２の説明図である。
【発明を実施するための形態】
【００１５】
以下、本発明の第一から第四実施形態について、図面を参照して順に説明する。参照する図面は、本発明が採用し得る技術的特徴を説明するために用いられるものである。図面に記載されている装置の構成は、それのみに限定する趣旨ではなく、単なる説明例である。
【００１６】
図１から５を参照して、第一実施形態に係る情報入力装置２の物理的構成を説明する。以下の説明では、図１の左上側、右下側、上側、下側、右上側、及び左下側を、各々、情報入力装置２の左側、右側、上側、下側、後側、及び前側と定義して説明する。情報入力装置２が備える部材の位置及び方向は、図１のように情報入力装置２の筐体８Ｌ，８Ｒが開いた状態を基準として説明する。情報入力装置２の左右方向及び前後方向を各々、Ｘ方向及びＹ方向ともいう。
【００１７】
情報入力装置２は、ユーザが電子ペン３を用いて、情報入力装置２に装着された紙媒体１００に情報を記入した際に、電子ペン３の位置を経時的に検出して電子化する、薄型軽量の手書き入力装置である。図１及び図２に示すように、情報入力装置２は、筐体８Ｌ，８Ｒ，移動部９，フレキシブルケーブル９７，第一センサ７１，第二センサ７２，センサ制御基板２８，２９，及びメイン基板２０を主に備える。
【００１８】
筐体８Ｌ，８Ｒは各々、樹脂製の矩形薄板状であり、図３の上部に示すように筐体８Ｌ，８Ｒを折り畳んだ状態と、図３の下部及び図１に示すように左右方向に見開いた状態とに配置を変更可能である。即ち、筐体８Ｌ，８Ｒとは、筐体８Ｌに対する筐体８Ｒの開閉状態を変更可能、且つ、互いに近接及び離間する方向に移動可能である。図２に示すように、筐体８Ｌは、第一カバー８０Ｌ及び第二カバー８１Ｌを備える。第二カバー８１Ｌには、第一カバー８０Ｌと第二カバー８１Ｌとの厚み方向の間隔を維持するとともに、筐体８Ｌの強度を高めるための複数のリブ８３ＬがＸ方向及びＹ方向に形成されている。筐体８Ｌは、冊子状の紙媒体１００の見開き頁のうちの一方の頁を載置可能である。筐体８Ｌは、第一センサ７１，センサ制御基板２８を収容する。
【００１９】
同様に、筐体８Ｒは、第一カバー８０Ｒ及び第二カバー８１Ｒを備える。第二カバー８１Ｒには、第一カバー８０Ｒと第二カバー８１Ｒとの厚み方向の間隔を維持するとともに、筐体８Ｒの強度を高めるための複数のリブ８３ＲがＸ方向及びＹ方向に形成されている。複数のリブ８３Ｒのうち、メイン基板２０の前側部には、移動部９の移動経路を規定するガイド部８４が形成されている。筐体８Ｒは、中央部に、バッテリー装着部８２を備える。バッテリー装着部８２は、第二カバー８１Ｒの下面から若干後方に突出している。バッテリー装着部８２は、第二カバー８１Ｒの後面において開口する装着口を有する。ユーザは第二カバー８１Ｒの後方側から、情報入力装置２に電源を供給するバッテリー１９（図６参照）を着脱できる。筐体８Ｒは、紙媒体１００の見開き頁のうちの他方の頁を載置可能である。筐体８Ｒは、第二センサ７２，センサ制御基板２９，及びメイン基板２０を収容する。
【００２０】
移動部９は、可撓性を有する樹脂によって帯状に形成された部材である。移動部９の左端９１は筐体８Ｌの内部に固定され、移動部９の右端９２は筐体８Ｌに対する筐体８Ｒの開閉状態に応じて移動可能に筐体８Ｒに収容されている。移動部９の中央部は、情報入力装置２の軸線ＡＸ側にあり、筐体８Ｌ，８Ｒの外部に露出している。情報入力装置２の軸線ＡＸは、紙媒体１００の背表紙の中心線に対応する、筐体８Ｌ，８Ｒの仮想的な移動基準線である。移動部の右端９２側のメイン基板２０と対向する側の面は、筐体８Ｒの厚み方向（上下方向）に延設された接触部９３が形成されている。接触部９３は、筐体８Ｌに対して筐体８Ｒが閉じられた状態から開かれた場合に、筐体８Ｒのガイド部８４に案内されながら移動して、図３から図５を参照して後述する検出部９５のレバー９６に筐体８Ｒの厚み方向（上下方向）と直交する方向（前後方向）において接触する。フレキシブルケーブル９７は、センサ制御基板２８，２９を電気的に接続するケーブルであり、筐体８Ｌと筐体８Ｒとの位置関係に応じて、伸縮可能に構成されている。
【００２１】
第一センサ７１及び第二センサ７２は、近接する電子ペン３の位置を検出可能な、電子誘導方式の位置検出センサである。第一センサ７１及び第二センサ７２は、Ｘ軸方向及びＹ軸方向の各々に、所定の間隔で列設された複数の細長いループコイルを備える。センサ制御基板２８は、第一センサ７１を制御して、後述するスキャンを実行させるＡＳＩＣ２８１（図６参照）を搭載する。センサ制御基板２９は、第二センサ７２を制御して、後述するスキャンを実行させるＡＳＩＣ２９１（図６参照）を搭載する。
【００２２】
メイン基板２０は、制御部２５（図６参照）、無線通信部２４（図６参照）及び検出部９５を搭載する。制御部２５は、情報入力装置２の制御を司る。無線通信部２４は、制御部２５からの指令に基づき外部機器（例えば、ＰＣ、携帯端末）との間で無線通信を実行させる。検出部９５は、移動部９の接触部９３と接触しているか否かに応じて位置が突出位置と、退避位置とに切り替わるレバー９６（図４参照）を備える。突出位置は、レバー９６が検出部９５の筐体の外部に突出している位置である。退避位置は、レバー９６が検出部９５の筐体の内部に押し込まれている位置である。検出部９５は、レバー９６によって検出される移動部９の右端９２の筐体８Ｒ内の所定範囲ＰＲ（図３参照）にあるか否かを検出する。所定範囲ＰＲは、移動部９の接触部９３がレバー９６と接触して、レバー９６が退避位置にある範囲である。所定範囲ＰＲは、検出した所定範囲ＰＲに基づく操作、情報入力装置２の使用形態、並びに情報入力装置２に装着されると想定される紙媒体１００の大きさ及び厚み等を考慮して予め設定される。第一実施形態では、所定範囲ＰＲは、筐体８Ｌに対して筐体８Ｒが所定角度開かれたと想定される範囲とする。筐体８Ｌに対する筐体８Ｒの角度は、筐体８Ｌの装着面（上面）と筐体８Ｒの装着面（上面）とがなす角度のうち、紙媒体１００が装着される側の角度である。情報入力装置２は、移動部９の右端９２が所定範囲ＰＲにあるか否かを検出して、情報入力装置２の使用状態を把握し、情報入力装置２の電源のオン／オフを切り替える。
【００２３】
図３から図５を参照して、検出部９５が出力するオン／オフ信号に従って、情報入力装置２の電源のオン／オフを切り替える動作について説明する。前述のように移動部９は、左端９１が筐体８Ｌに固定され、右端９２は筐体８Ｌに対する筐体８Ｒの開閉状態に応じて移動可能に筐体８Ｒに収容されている。移動部９に移動経路は、筐体８Ｒのガイド部８４によって規定されている。筐体８Ｌ，８Ｒが互いに折り畳まれた状態である場合、図３の上部及び図４に示すように、移動部９の右端９２は検出部９５よりも軸線ＡＸ側にあり、接触部９３と、検出部９５のレバー９６とは接触していない。筐体８Ｌ，８Ｒが互いに折り畳まれた状態である場合、レバー９６は突出位置にあり、検出部９５は、ＣＰＵ２１にオフ信号を出力する。ＣＰＵ２１は、検出部９５がオフ信号を出力している期間は、情報入力装置２の電源をオフにする。情報入力装置２の電源がオフにされた場合、センサ制御基板２８，２９に電力を供給するサブ電源がオフにされ、後述するスキャン処理が実行不能なスリーブ状態となる。情報入力装置２の電源がオフである場合にも制御部２５には、バッテリー１９から電力が供給される。情報入力装置２の電源がオンからオフに切り替えられた場合にも、制御部２５には電力が供給されているので、情報入力装置２は、起動状態からスリーブ状態に切り替える際に必要な処理を実行した後、スリーブ状態に切り替えることができる。
【００２４】
筐体８Ｌ，８Ｒを左右方向に見開いた状態に配置した場合、図３の下部及び図５に示すように、接触部９３と、検出部９５のレバー９６とは接触して、レバー９６は退避位置に押し込まれている。検出部９５は、レバー９６が退避位置にある場合、ＣＰＵ２１にオン信号を出力する。ＣＰＵ２１は、検出部９５がオン信号を出力している期間は、情報入力装置２の電源をオンにする。情報入力装置２の電源がオンにされた場合、センサ制御基板２８，２９に電力を供給するサブ電源がオンにされ、後述するスキャン処理が実行可能な起動状態となる。本実施形態の所定範囲ＰＲに対応する筐体８Ｌに対する筐体８Ｒの角度は、１６０度から１８０度の範囲の角度である。本実施形態ではユーザが情報入力装置２を使用する場合、図３の下部及び図１に示すように筐体８Ｌに対する筐体８Ｒの角度が１８０度付近にあると想定し、所定範囲ＰＲが設定されている。所定範囲ＰＲを一定の幅を有する範囲の角度とすることで、紙媒体１００の厚みが変わった場合にも、筐体８Ｌに対する筐体８Ｒの角度が１８０度付近にあるか否かを検出可能としている。即ち、レバー９６が突出位置から退避位置に切り替えられるときの、筐体８Ｌに対する筐体８Ｒの角度は、紙媒体１００の厚みに応じて異なるが、１８０度付近の角度となる。
【００２５】
図１に示す電子ペン３は、公知の電磁誘導式の電子ペンであり、筒体３０，芯体３１，コイル３２，可変容量コンデンサ３３，基板３４，コンデンサ３５，及びインク収納部３６を備える。筒体３０は、円柱状の形状を有し、芯体３１の一部、コイル３２，可変容量コンデンサ３３，基板３４，コンデンサ３５，及びインク収納部３６を内部に収容する。芯体３１は、電子ペン３の先端部に設けられている。芯体３１は図示外の弾性部材によって、電子ペン３の先端側に付勢されている。芯体３１の先端部は、筒体３０の外に突出している。芯体３１の後端側は、インクが収納されているインク収納部３６に接続されている。インク収納部３６は、芯体３１にインクを供給する。ユーザが電子ペン３を用いて筆記すると、筆記されたキャラクタ（文字、数値、及び図形等）がインクで形成される。
【００２６】
コイル３２は、インク収納部３６の周囲に巻回された状態で、芯体３１と可変容量コンデンサ３３との間に保持されている。可変容量コンデンサ３３は、基板３４によって電子ペン３の内部に固定されている。基板３４には、コンデンサ３５が搭載されている。コンデンサ３５及び可変容量コンデンサ３３は、コイル３２に並列に接続され、周知の共振（同調）回路を構成する。
【００２７】
紙媒体１００は、表紙１１０Ｌと表紙１１０Ｒとの間に複数の用紙１２０が綴じられた、左右方向に見開き可能な冊子状である。つまり、紙媒体１００では、一対の表紙（表紙１１０Ｌ及び表紙１１０Ｒ）と複数の用紙１２０とが、各々の縁部の一部で綴じられている。紙媒体１００は、表紙１１０Ｌが筐体８Ｌの装着面（上面）に載置され、且つ、表紙１１０Ｒが筐体８Ｒの装着面（上面）に載置されるように、情報入力装置２上に装着される。第一実施形態では、紙媒体１００は、両面テープ及び粘着性を有する樹脂フィルム等によって、紙媒体１００が情報入力装置２に位置決めされた状態で装着される。即ち、筐体８Ｌ，８Ｒは各々、表紙１１０Ｌ，１１０Ｒと一体的に移動する。第一センサ７１には左頁が位置決めされ、第二センサ７２には右頁が位置決めされる。ユーザが電子ペン３を用いて用紙１２０に情報を記入すると、用紙１２０に対向する第一センサ７１及び第二センサ７２のいずれかによって、用紙１２０に情報を記入する電子ペン３の位置情報が検出される。
【００２８】
図６を参照して、情報入力装置２の電気的構成を説明する。情報入力装置２は、メイン基板２０，第一センサ７１，第二センサ７２，及びセンサ制御基板２８，２９を主に備える。
【００２９】
メイン基板２０は、制御部２５，検出部９５，及び無線通信部２４を備えている。制御部２５は、ＣＰＵ２１，フラッシュＲＯＭ２２，及びＲＡＭ２３を備える。フラッシュＲＯＭ２２，ＲＡＭ２３及び無線通信部２４は、ＣＰＵ２１に電気的に接続されている。ＣＰＵ２１は、情報入力装置２の制御を司る。フラッシュＲＯＭ２２には、ＣＰＵ２１が情報入力装置２を制御するために実行する各種プログラムが記憶されている。さらに、フラッシュＲＯＭ２２には、用紙１２０に情報を記入する電子ペン３の軌跡を示すストロークデータが記憶される。ストロークデータは、第一センサ７１及び第二センサ７２によって経時的に検出された電子ペン３の複数の位置情報（例えば、座標情報）によって、用紙１２０に情報を記入する電子ペン３の軌跡を特定する。ＲＡＭ２３は、演算データ等の各種データを一時的に記憶する。検出部９５は、バッテリー１９から供給される電力のオン／オフ信号をＣＰＵ２１に入力する。バッテリー装着部８２（図２参照）に装着されたバッテリー１９は、メイン基板２０に電気的に接続される。バッテリー１９から供給される電力は、検出部９５のオン／オフ信号に従い、ＣＰＵ２１によって制御される。無線通信部２４は、外部の電子機器と近距離無線通信を実行するためのコントローラである。
【００３０】
第一センサ７１及び第二センサ７２は各々、ＡＳＩＣ２８１，２９１と電気的に接続している。ＡＳＩＣ２８１，２９１は各々、ＣＰＵ２１からの指令に基づき、第一センサ７１及び第二センサ７２を制御する。ＡＳＩＣ２８１，２９１のうち、マスター側のＡＳＩＣ２９１はＣＰＵ２１に直接接続され、スレーブ側のＡＳＩＣ２８１はＡＳＩＣ２９１を介してＣＰＵ２１に接続されている。
【００３１】
次に、第一センサ７１及び第二センサ７２が電子ペン３の位置を検出する処理（スキャン処理）の原理を、概略的に説明する。ＣＰＵ２１はＡＳＩＣ２８１，２９１を制御して、第一センサ７１及び第二センサ７２の各々のループコイルに、一本ずつ特定の周波数の電流（励磁用送信電流）を流す。これにより、第一センサ７１及び第二センサ７２の各々のループコイルから磁界が発生する。この状態で、例えばユーザが電子ペン３を用いて情報入力装置２に装着された紙媒体１００に情報を記入すると、電子ペン３が第一センサ７１又は第二センサ７２に近接する。そのため、電子ペン３の共振回路は電磁誘導によって共振し、誘導磁界を生じる。
【００３２】
次に、ＡＳＩＣ２８１，２９１は、各々第一センサ７１及び第二センサ７２のループコイルからの磁界の発生を停止させる。さらに、電子ペン３の共振回路から発せられる誘導磁界を、第一センサ７１及び第二センサ７２の各々のループコイルで受信する。ＣＰＵ２１は、第一センサ７１及び第二センサ７２の各々のループコイルに流れる信号電流（受信電流）を検出する。この動作を全てのループコイルについて一本ずつ実行され、磁気誘導によって発生した信号は、ＡＳＩＣ２８１，２９１によって増幅、振幅検波された後、検出結果として随時ＣＰＵ２１に入力される。ＣＰＵ２１は、入力された信号を振幅、即ち電圧値に対応したデジタル信号に変換し、デジタル信号に基づいて電子ペン３の位置を検出する。
【００３３】
ここで、電子ペン３が紙媒体１００に情報を記入している状態では、電子ペン３の芯体３１に筆圧が付与される。芯体３１に付与される筆圧に応じて、コイル３２のインダクタンスが変化する。これにより、電子ペン３の共振回路の共振周波数が変化する。ＣＰＵ２１はこの共振周波数の変化（位相変化）を検出して、電子ペン３に付与された筆圧を特定する。つまりＣＰＵ２１は、電子ペン３から特定した筆圧によって、紙媒体１００に情報が記入されているか否かを判断できる。ＣＰＵ２１は、紙媒体１００に情報が記入されていると判断した場合、ストロークデータを取得して、フラッシュＲＯＭ２２に保存する。
【００３４】
上記情報入力装置２において、第一センサ７１及び第二センサ７２は各々、本発明の第一検出部及び第二検出部とに相当する。筐体８Ｌ，８Ｒは各々、本発明の第一筐体及び第二筐体に相当する。移動部９は、本発明の移動部に相当する。左端９１及び右端９２は各々、本発明の移動部の一端及び他端に相当する。接触部９３は、本発明の接触部に相当する。ガイド部８４は、本発明のガイド部に相当する。検出部９５は、本発明の検出部に相当する。ＣＰＵ２１は、本発明の第一スイッチ部及び第二スイッチ部に相当する。紙媒体１００は、本発明の記録媒体に相当する。
【００３５】
上記情報入力装置２では、筐体８Ｌ，８Ｒは、紙媒体１００の表紙１１０Ｌ，１１０Ｒと一体的に移動可能に紙媒体１００に対して位置決めされている。情報入力装置２は、移動部９と、検出部９５という比較的簡単な構成によって、移動部９の右端９２の筐体８Ｒ内の位置が所定範囲ＰＲにある場合に電源を自動的にオンにし、移動部９の右端９２の筐体８Ｒ内の位置が所定範囲ＰＲにない場合に電源を自動的にオフにすることができる。移動部９の右端９２の筐体８Ｒ内の位置が所定範囲ＰＲにある場合は、筐体８Ｌに対して筐体８Ｒが所定角度開かれた場合に相当する。ユーザは情報入力装置２を使用する場合、筐体８Ｌに対して筐体８Ｒを開き、情報入力装置２の使用を終了する場合、筐体８Ｌに対して筐体８Ｒを閉じる。したがって、情報入力装置２は、筐体８Ｌに対して筐体８Ｒが開かれ、使用状態にあると想定される場合に、電源を自動的にオンにし、筐体８Ｌに対して筐体８Ｒが閉じられ、使用状態にないと想定される場合に、電源を自動的にオフにすることができる。ユーザは使用開始時に電源のオン／オフを切り替える手間を省くことができ、いち早く入力操作を実行することができる。また情報入力装置２は、ユーザが情報入力装置２の電源を切り忘れることにより、バッテリー１９の電力を無駄に消費する可能性を低減させることができる。
【００３６】
移動部９は、可撓性を有する樹脂によって帯状に形成されているので移動部９の厚みを薄くすることが可能である。情報入力装置２は、移動部９の厚みを薄くすることで、移動部９の厚みが厚い場合に比べ、移動部９の左端９１を固定する筐体８Ｌ及び移動部９の右端９２を収容する筐体８Ｒの厚みを薄くし、情報入力装置２を軽量化することが可能である。情報入力装置２は、検出部９５の厚み方向において接触する接触部を備える場合に比べ、移動部９の右端９２を収容する筐体８Ｒの厚みを小さくすることが可能である。
【００３７】
図７を参照して第二実施形態の情報入力装置１０２について説明する。第二実施形態の情報入力装置１０２は、位置決め用の延長部１５０Ｌ，１５０Ｒ，連結穴１５１Ｌ，１５２Ｌ，１５１Ｒ，及び１５２Ｒを有する紙媒体２００を装着可能である。情報入力装置１０２は、筐体８Ｌ，８Ｒに代えて、筐体１０８Ｌ，１０８Ｒを備える点において、第一実施形態の情報入力装置２と異なり、他の物理的構成及び電気的構成は情報入力装置２と互いに同じである。以下情報入力装置２と互いに異なる点について説明する。
【００３８】
筐体１０８Ｌは、第一カバー１８０Ｌ，及び情報入力装置２と互いに同様の第二カバー８１Ｌを備える。筐体１０８Ｒは、第一カバー１８０Ｒ，及び情報入力装置２と互いに同様の第二カバー８１Ｒを備える。第一カバー１８０Ｌは装着面（上面）に、挿入ピン１７１Ｌ，１７２Ｌ及び挟持板１７３Ｌ，１７４Ｌを備える。挿入ピン１７１Ｌ，１７２Ｌは各々、第一カバー１８０Ｌの矢印１６１で示す開放側に設けられた（図７では左後隅部及び左前隅部）から上方に突出するピンである。挟持板１７３Ｌ，１７４Ｌは各々、挿入ピン１７１Ｌ，１７２Ｌに対して開放側（図７では左側）に隣接して設けられた、上方に突出する板状部材である。挿入ピン１７１Ｌ，１７２Ｌ及び挟持板１７３Ｌ，１７４Ｌは、紙媒体２００の表紙２１０Ｌの紙面略全体が第一センサ７１と対向するように、表紙２１０Ｌを位置決めする。
【００３９】
同様に、第一カバー１８０Ｒは装着面（上面）に、挿入ピン１７１Ｒ，１７２Ｒ及び挟持板１７３Ｒ，１７４Ｒを備える。挿入ピン１７１Ｒ，１７２Ｒは各々、第一カバー１８０Ｒの矢印１６２で示す開放側に設けられた（図７では右後隅部及び右前隅部）から上方に突出するピンである。挟持板１７３Ｒ，１７４Ｒは各々、挿入ピン１７１Ｒ，１７２Ｒに対して開放側（図７では右）に隣接して設けられた、上方に突出する板状部材である。挿入ピン１７１Ｒ，１７２Ｒ及び挟持板１７３Ｒ，１７４Ｒは、紙媒体２００の表紙２１０Ｒの紙面略全体が第二センサ７１と対向するように、表紙２１０Ｒを位置決めする。
【００４０】
情報入力装置１０２において、移動部９の左端９１は筐体１０８Ｌの内部に固定され、移動部９の右端９２は筐体１０８Ｌに対する筐体１０８Ｒの開閉状態に応じて移動可能に筐体１０８Ｒに収容されている。第一実施形態と同様に、検出部９５は、移動部９の右端９２の筐体８Ｒ内の位置が所定範囲ＰＲにあるか否かを検出する。ＣＰＵ２１は、検出部９５が出力するオン／オフ信号に従って、情報入力装置１０２の使用状態を把握し、情報入力装置１０２の電源のオン／オフを切り替える。
【００４１】
ユーザが紙媒体２００を情報入力装置１０２に取り付ける場合、連結穴１５１Ｌ，１５２Ｌに各々挿入ピン１７１Ｌ，１７２Ｌを挿入する。これにより、紙媒体２００の表紙２１０Ｌの延長部１５０Ｌのうちで連結穴１５１Ｌよりも矢印１６１で示す開放側の部分が、挿入ピン１７１Ｌ及び挟持板１７３Ｌによって挟持される。延長部１５０Ｌのうちで連結穴１５２Ｌよりも開放側の部分が、挿入ピン１７２Ｌ及び挟持板１７４Ｌによって挟持される。したがって、表紙２１０Ｌが、第一センサ７１に対して位置決めされる。
【００４２】
さらにユーザは、連結穴１５１Ｒ，１５２Ｒに各々挿入ピン１７１Ｒ，１７２Ｒを挿入する。これにより、紙媒体２００の表紙２１０Ｒの延長部１５０Ｒのうちで連結穴１５１Ｒよりも矢印１６２で示す開放側の部分が、挿入ピン１７１Ｒ及び挟持板１７３Ｒによって挟持される。延長部１５０Ｒのうちで連結穴１５２Ｒよりも開放側の部分が、挿入ピン１７２Ｒ及び挟持板１７４Ｒによって挟持される。したがって、表紙２１０Ｒが、第二センサ７２に対して位置決めされる。
【００４３】
挿入ピン１７１Ｌ，１７ＬＲ及び挟持板１７３Ｌ，１７４Ｌは各々、第一位置決め部に相当する。挿入ピン１７１Ｒ，１７２Ｒ及び挟持板１７３Ｒ，１７４Ｒは各々、第二位置決め部に相当する。第二実施形態の情報入力装置１０２では、第一実施形態の情報入力装置２の効果に加え、以下の効果が得られる。第二実施形態の情報入力装置１０２では、挿入ピン１７１Ｒ，１７２Ｒ及び挟持板１７３Ｒ，１７４Ｒによって、紙媒体２００の表紙２１０Ｌ，２１０Ｒの各々と、筐体１０８Ｌ，１０８Ｒとを位置決めする。このため情報入力装置１０２は、両面テープ等を介して、紙媒体の表紙と筐体とが接着して位置決めされる場合に比べ、繰り返し使用した場合にも、筐体を傷める可能性を低減させることができる。情報入力装置１０２は、筐体１０８Ｌ，１０８Ｒが互いに独立しており、且つ、各筐体１０８Ｌ，１０８Ｒに各々表紙２１０Ｌ，２１０Ｒが位置決めされる。したがって情報入力装置１０２は、ユーザが記録媒体へ記入している間に、紙媒体２００が情報入力装置１０２に対して位置ずれすることを抑制できる。
【００４４】
図８を参照して第三実施形態の情報入力装置２０２について説明する。第三実施形態の情報入力装置２０２は、媒体保持シート５Ｌ，５Ｒを介して、紙媒体１００を装着可能である。図８に示すように、第三実施形態の情報入力装置２０２は、筐体８Ｌ，８Ｒに代えて、筐体２０８Ｌ，２０８Ｒを備える点において、第一実施形態の情報入力装置２と異なり、他の物理的構成及び電気的構成は情報入力装置２と互いに同じである。以下情報入力装置２と互いに異なる点について説明する。
【００４５】
筐体２０８Ｌは、第一カバー２８０Ｌ，及び情報入力装置２と互いに同様の第二カバー８１Ｌを備える。筐体２０８Ｒは、第一カバー２８０Ｒ，及び情報入力装置２と互いに同様の第二カバー８１Ｒを備える。第一カバー２８０Ｌは装着面（上面）に、挿入ピン２７１Ｌ，２７２Ｌを備える。挿入ピン２７１Ｌ，２７２Ｌは各々、第一カバー２８０Ｌの矢印２６１で示す開放側に設けられた（図８では左後隅部及び左前隅部）から上方に突出するピンである。挿入ピン２７１Ｌ，２７２Ｌは、紙媒体１００の表紙１１０Ｌの紙面略全体が第一センサ７１と対向するように、媒体保持シート５Ｌを介して、表紙１１０Ｌを位置決めする。
【００４６】
同様に、第一カバー２８０Ｒは装着面（上面）に、挿入ピン２７１Ｒ，２７２Ｒを備える。挿入ピン２７１Ｒ，２７２Ｒは各々、第一カバー２８０Ｒの矢印２６２で示す開放側に設けられた（図７では右後隅部及び右前隅部）から上方に突出するピンである。挿入ピン２７１Ｒ，２７２Ｒは、紙媒体２００の表紙２１０Ｒの紙面略全体が第二センサ７１と対向するように、媒体保持シート５Ｒを介して、表紙１１０Ｒを位置決めする。
【００４７】
情報入力装置２０２において、移動部９の左端９１は筐体２０８Ｌの内部に固定され、移動部９の右端９２は筐体２０８Ｌに対する筐体２０８Ｒの開閉状態に応じて移動可能に筐体２０８Ｒに収容されている。第一実施形態と同様に、検出部９５は、移動部９の右端９２の筐体８Ｒ内の位置が所定範囲ＰＲにあるか否かを検出する。ＣＰＵ２１は、検出部９５が出力するオン／オフ信号に従って、情報入力装置２０２の使用状態を把握し、情報入力装置２０２の電源のオン／オフを切り替える。
【００４８】
媒体保持シート５Ｌ，５Ｒは、表紙１１０Ｌ，１１０Ｒを情報入力装置２の装着面（上面）に固定するための樹脂板である。媒体保持シート５Ｌ，５Ｒは、紙媒体１００の用紙サイズ毎に用意されている。第三実施形態の媒体保持シート５Ｌ，５Ｒは、ＩＳＯ規格のＡ５サイズの紙媒体１００専用であり、Ａ５サイズの表紙１１０Ｌ，１１０Ｒの略全体を貼り付け可能な大きさを有する。媒体保持シート５Ｌ，５Ｒは、各々表紙１１０Ｌ，１１０Ｒが第一カバー２８０Ｌ，２８０Ｒの装着面に面接触して固定可能である。
【００４９】
媒体保持シート５Ｌには、略Ｌの字型の板状体である位置決め部５１Ｌ，５２Ｌと、上下方向に貫通する二つの連結穴５３Ｌ，５４Ｌとが設けられている。連結穴５３Ｌは、媒体保持シート５Ｌの左後隅部に設けられる。連結穴５４Ｌは、媒体保持シート５Ｌの左前隅部に設けられる。連結穴５３Ｌ，５４Ｌには、各々先述の挿入ピン２７１Ｌ，２７２Ｌが連結固定される。
【００５０】
位置決め部５１Ｌ，５２Ｌは、各々、装着面５０Ｌにおける連結穴５３Ｌ，５４Ｌの右側に設けられる。位置決め部５１Ｌは、表紙１１０Ｌの左後隅部を位置決めするための部材である。位置決め部５２Ｌは、表紙１１０Ｌの左前隅部を位置決めするための部材である。第三実施形態では、位置決め部５１Ｌ，５２ＬがＡ５サイズの表紙１１０Ｌの左後隅部及び左前隅部に対応する位置に設けられている。表紙１１０Ｌは、位置決め部５１Ｌ，５２Ｌよりも右側の領域に位置決めされた状態で、第一カバー２８０Ｌに貼り付けられる。
【００５１】
同様に、媒体保持シート５Ｒには、略Ｌの字型の板状体である位置決め部５１Ｒ，５２Ｒと、上下方向に貫通する二つの連結穴５３Ｒ，５４Ｒとが設けられている。連結穴５３Ｒは、媒体保持シート５Ｒの右後隅部に設けられる。連結穴５４Ｒは、媒体保持シート５Ｒの右前隅部に設けられる。連結穴５３Ｒ，５４Ｒには、挿入ピン２７１Ｒ，２７２Ｒが連結固定される。
【００５２】
位置決め部５１Ｒ，５２Ｒは、各々、装着面５０Ｒにおける連結穴５３Ｒ，５４Ｒの左側に設けられる。位置決め部５１Ｒは、表紙１１０Ｒの右後隅部を位置決めするための部材である。位置決め部５２Ｒは、表紙１１０Ｒの右前隅部を位置決めするための部材である。本実施形態では、位置決め部５１Ｒ，５２ＲがＡ５サイズの表紙１１０Ｒの右後隅部及び右前隅部に対応する位置に設けられている。表紙１１０Ｒは、位置決め部５１Ｒ，５２Ｒよりも左側の領域に位置決めされた状態で、装着面５０Ｒに貼り付けられる。
【００５３】
挿入ピン２７１Ｌ，２７２Ｌは各々、第一位置決め部に相当する。挿入ピン２７１Ｒ，２７２Ｒは各々、第二位置決め部に相当する。第三実施形態の情報入力装置２０２では、第一実施形態の情報入力装置２の効果に加え、以下の効果が得られる。情報入力装置２は、挿入ピン２７１Ｒ，２７２Ｒによって、紙媒体１００の表紙１１０Ｌ，１１０Ｒの各々と、筐体２０８Ｌ，２０８Ｒとを位置決めする。このため情報入力装置２０２は、両面テープ等を介して、紙媒体の表紙と筐体とが接着して位置決めされる場合に比べ、繰り返し使用した場合にも、筐体を傷める可能性を低減させることができる。情報入力装置２０２では、筐体２０８Ｌ，２０８Ｒの各々は媒体保持シート５Ｌ，５Ｒを介して表紙１１０Ｌ，１１０Ｒに対して位置決めされている。したがって情報入力装置２０２は、ユーザが記録媒体へ記入している間に、紙媒体１００が情報入力装置２０２に対して位置ずれすることを抑制できる。さらに情報入力装置２０２は、媒体保持シート５Ｌ，５Ｒを介して、紙媒体と筐体とが位置決めされるため、延長部１５０Ｌ，１５０Ｒを有しない汎用の紙媒体にも適用可能である。紙媒体の大きさに合わせた媒体保持シート５Ｌ，５Ｒを選択することによって、複数種類の大きさの紙媒体を装着することができる。
【００５４】
図９を参照して、第四実施形態の情報入力装置２０２について説明する。第四実施形態の情報入力装置２０２は、第三実施形態の情報入力装置２０２が、媒体保持シート５Ｌ，５Ｒ，及び外装カバー４を介して、紙媒体１００を装着する場合である。外装カバー４は、上三辺がシールされた、折り曲げられていない状態で左右方向に長い矩形状の袋体である。外装カバー４は、収容口４０を有する。収容口４０は、外装カバー４が折り曲げられていない状態で左右方向に延びる。外装カバー４は、例えば合成皮革及びナイロン素材等の外力に応じて変形可能な柔軟性を有する素材によって形成される。
【００５５】
情報入力装置２０２の筐体２０８Ｌ，２０８Ｒは、収容口４０を介して外装カバー４の内部に、互いに離間して収容される。このとき、筐体２０８Ｌは、外装カバー４の左側部分４Ｌに配置される。筐体２０８Ｒは、外装カバー４の右側部分４Ｒに配置される。筐体２０８Ｌと筐体２０８Ｒとの間に形成される隙間は、外装カバー４の左右方向の中央部分４Ｍに位置する。移動部９の筐体２０８Ｌ，２０８Ｒの外の部分は、中央部分４Ｍに配置される。したがって、外装カバー４では、中央部分４Ｍを中心にして、右側部分４Ｒ及び左側部分４Ｌを開閉可能である。
【００５６】
言い換えると、筐体２０８Ｌ，２０８Ｒの可動範囲は、次のように定義できる。筐体２０８Ｌ，２０８Ｒは、各々の対向する辺同士（つまり、筐体２０８Ｌの右辺及び筐体２０８Ｒの左辺）が平行に延びるように、外装カバー４内に並んで配置される。筐体２０８Ｌ，２０８Ｒの間には、各々の対向する辺同士の間を延びる軸線ＡＸ（具体的には、筐体２０８Ｌ。２０７Ｒの間を前後方向に延びる線）に沿って隙間が生じている。そのため、筐体２０８Ｌ，２０８Ｒは、紙媒体１００の開閉動作に追従して、回動可能であり、且つ、互いに近接又は離間する方向に移動可能である。このような筐体２０８Ｌ，２０８Ｒの可動範囲は、後述の第一センサ７１及び第二センサ７２の可動範囲と同義である。
【００５７】
左側部分４Ｌの装着面４１Ｌと右側部分４Ｒの装着面４１Ｒとは、外装カバー４が閉じられると左右方向に対向する。装着面４１Ｌの左上部分及び左下部分には、各々、左右方向に長い貫通穴であるガイド穴４２Ｌ，４３Ｌが設けられている。つまり、ガイド穴４２Ｌ，４３Ｌは、装着面４１Ｌにおいて閉鎖側端部（中央部分４Ｍ）から最も離間した開放側端部の上下両側に設けられている。装着面４１Ｒの右上部分及び左下部分には、左右方向に長い貫通穴であるガイド穴４２Ｒ，４３Ｒが設けられている。つまり、ガイド穴４２Ｒ，４３Ｒは、装着面４１Ｒにおいて閉鎖側端部（中央部分４Ｍ）から最も離間した開放側縁部の上下両側に設けられている。装着面４１Ｒにおけるガイド穴４２Ｒの下側には、上下方向に長い矩形状の切り欠きであるセンサ窓４４が設けられている。
【００５８】
図示しないが、右側部分４Ｒの後面には、開閉カバーが設けられている。後面の中央位置には、略正方形の切り欠きであるバッテリー着脱口が設けられている。開閉カバーは、少なくともバッテリー着脱口を覆う。バッテリー１９を着脱する際には、ユーザは、開閉カバーを開いて，バッテリー着脱口を外部に露出させた状態にする。
【００５９】
上記第四実施形態において、第三実施形態の効果に加え、以下の効果が得られる。外装カバー４は、内部に収納された一対の第一センサ７１及び第二センサ７２を、例えば外部からの衝撃から保護できる。第一センサ７１及び第二センサ７２は、可撓性の外装カバー４に収納された状態で、表紙１１０Ｌ，１１０Ｒに追従して動くことができる。情報入力装置２０２では、筐体２０８Ｌ，２０８Ｒの各々は、媒体保持シート５Ｌ，５Ｒ，及び外装カバー４を介して、表紙１１０Ｌ，１１０Ｒに対して位置決めされている。したがって情報入力装置２０２は、ユーザが記録媒体へ記入している間に、紙媒体１００が情報入力装置２０２に対して位置ずれすることを抑制できる。移動部９は外装カバー４によって保護されるので、移動部９を外部の物体に引っかけてしまう等の理由により、移動部９の右端９２の筐体８Ｒ内の位置が所定範囲ＰＲにあるか否かを適切に検出できないという事態を回避することができる。
【００６０】
本発明の情報入力装置は、上記した実施形態に限定されるものではなく、本発明の要旨を逸脱しない範囲内において種々変更が加えられてもよい。例えば、以下の（１）から（６）までの変形が適宜加えられてもよい。
【００６１】
（１）情報入力装置２は、２つのセンサとして、第一センサ７１及び第二センサ７２を備えていたが、センサの数は３以上であってもよい。筐体８Ｌ，８Ｒの形状、及び大きさ等は適宜変更されてよい。
【００６２】
（２）情報入力装置２は、第一センサ７１及び第二センサ７２の各々のループコイルから磁界を発生させ、電子ペン３の共振回路を電磁誘導によって共振させていたが、電池を内蔵するタイプの電子ペン３に対しては、電子ペン３の共振回路を電磁誘導によって共振させなくてもよい。情報入力装置２は、電子ペン３の筆圧を検出可能であったが、筆圧は検出不能であってもよいし、筆圧を考慮せずに検出結果をフラッシュＲＯＭ２２等の記憶機器に記憶させてもよい。情報入力装置２の電気的構成は適宜変更されてよい。情報入力装置２は電磁誘導以外の方法で電子ペン３の位置を検出してもよい。例えば情報入力装置はタッチパネルを備えてもよい。タッチパネルの駆動方式は、抵抗膜方式であることが好ましい。タッチパネル上に紙媒体１００が置かれてもよい。ＣＰＵ２１は、電子ペン３によって紙媒体１００の用紙１２０に情報を記入する動作が行われた場合、タッチパネルを介して筆圧が加えられた位置を検出してもよい。
【００６３】
（３）第三及び第四実施形態において、紙媒体１００または媒体保持シート５Ｌ，５Ｒを情報入力装置２０２に取り付ける構成（取付部という。）は、挿入ピン２７１Ｌ，２７２Ｌに限定されない。以下では、媒体保持シート５Ｌを情報入力装置２０２に取り付ける変形例を例示するが、紙媒体１００及び媒体保持シート５Ｒを情報入力装置２０２に取り付ける場合も、下記と同様に変形可能であることは言うまでもない。
【００６４】
例えば、情報入力装置２０２の取付部は、雌型ホックでもよい。この場合、媒体保持シート５Ｌの連結穴５３Ｌ，５４Ｌに代えて、各々雄型ホックを設ける。ユーザは媒体保持シート５Ｌの雄型ホックを、取付部の雌型ホックに嵌めることで、媒体保持シート５Ｌを筐体２０８Ｌに固定できる。
【００６５】
情報入力装置２０２の取付部は、雌型のネジ穴でもよい。この場合、ユーザは媒体保持シート５Ｌの連結穴５３Ｌ，５４Ｌを介して、取付部に図示外のネジを螺合することで、媒体保持シート５Ｌを筐体２０８Ｌに固定できる。
【００６６】
情報入力装置２０２の取付部は、先端に回転体が設けられた回転止め具でもよい。この場合、ユーザは連結穴５３Ｌ，５４Ｌに取付部を挿入し、さらに取付部の回転体を回転させる。これにより、連結穴５３Ｌ，５４Ｌから取付部が抜けることが抑制されて、媒体保持シート５Ｌを筐体２０８Ｌに固定できる。
【００６７】
情報入力装置２０２の取付部は、可動体によってスライド固定する機構でもよい。例えば、ユーザは連結穴５３Ｌ，５４Ｌに取付部を挿入し、さらに挿入ピン２７１Ｌ，２７２Ｌの可動体を移動させる。これにより、連結穴５３Ｌ，５４Ｌから取付部が抜けることが抑制されて、媒体保持シート５Ｌを筐体２０８Ｌに固定できる。
【００６８】
（４）移動部の材質及び形状は適宜変更されてよい。例えば、移動部は、弾性を有する板バネであってもよいし、ワイヤであってもよい。他の例では、移動部が帯状に形成される場合、前後方向の長さは適宜変更されてよく、筐体８Ｌ，８Ｒと略同じ長さでもよい。移動部９の接触部９３は、筐体８Ｒの厚み方向（上下方向）と直交する方向（前後方向）において検出部９５と接触していたが、筐体８Ｒの厚み方向において検出部９５と接触してもよい。上記実施形態の移動部９の右端９２は、筐体８Ｒ，１０８Ｒ及び２０８Ｒから退出可能な形状であった。しかし、移動部９が２つの筐体を連結する部材を兼ねる場合等には、上記実施形態の移動部９の右端９２又は右端９２付近の形状を筐体８Ｒ，１０８Ｒ及び２０８Ｒから退出不能な形状としてもよい。このようにすれば、情報入力装置が記録媒体に対して位置決めされていない状態等において、移動部が第二筐体から退出してしまう事態を回避することができる。
【００６９】
（５）検出部９５は、移動部９の右端９２の筐体８Ｒ内の位置が所定範囲ＰＲにあるか否かを検出し、所定範囲ＰＲにある場合には電源をオンにし、所定範囲ＰＲにない場合には電源をオフにしていた。しかし、検出部９５は、移動部９の右端９２の筐体８Ｒ内の位置が所定範囲ＰＲにあるか否かに基づき、どちらか一方の処理のみを実行してもよいし、別の処理が実行されてもよい。検出部９５は、レバー９６を備え、移動部９の右端９２の筐体８Ｒ内の位置が所定範囲ＰＲにあるか否かを機械的に検出していたが、検出部９５の構成は適宜変更されてよい。例えば、検出部は光学センサ及び磁気センサ等のセンサによって、移動部の位置を検出してもよい。
【００７０】
（６）紙媒体１００のサイズ、フォーマット、及び材質等は、上記実施形態に限定されない。媒体保持シート５Ｌ，５Ｒは、少なくとも紙媒体１００を取り付け可能なサイズであればよい。情報入力装置２は、紙媒体１００に貼り付けられた媒体保持シート５Ｌ，５Ｒを取り付け可能なサイズ、又は少なくとも紙媒体１００を取り付け可能なサイズであればよい。
【符号の説明】
【００７１】
２，１０２，２０２    情報入力装置
８Ｌ，８Ｒ，１０８Ｌ，１０８Ｒ，２０８Ｌ，２０８Ｒ    筐体
９    移動部
２０    メイン基板
２１    ＣＰＵ
２２    フラッシュＲＯＭ
２３    ＲＡＭ
２８，２９    センサ制御基板
７１    第一センサ
７２    第二センサ
８４    ガイド部
９１    左端
９２    右端
９３    接触部
９５    検出部
９６    レバー
１７１Ｒ，１７２Ｒ，２７１Ｒ，２７２Ｒ    挿入ピン
１７３Ｒ，１７４Ｒ    挟持板
【図１】
2014099112.tif 000003
【図２】
2014099112.tif 000004
【図３】
2014099112.tif 000005
【図４】
2014099112.tif 000006
【図５】
2014099112.tif 000007
【図６】
2014099112.tif 000008
【図７】
2014099112.tif 000009
【図８】
2014099112.tif 000010
【図９】
2014099112.tif 000011